(57)【特許請求の範囲】
【請求項１】
ダイアリーまたは電子装置のカバーであって、
接合（ｌａｍｉｎａｔｅｄ）パネル、
前記接合パネルの上に置かれ、弾力性のある第１合成樹脂、および
前記第１合成樹脂の上に置かれ、弾力性のある第２合成樹脂
を含み、
前記カバーが膨らんだ表面を有するように、前記第１合成樹脂および前記第２合成樹脂は複数のポイントで接合され、前記第１合成樹脂および前記第２合成樹脂の間に空気が注入され、
前記第１合成樹脂と前記接合パネルとの間に配置されたり前記第２合成樹脂の上に配置されたりし、前記第１合成樹脂および前記第２合成樹脂の材質とは異なる材質で形成された第３合成樹脂をさらに含み、
前記第１合成樹脂、前記第２合成樹脂、および前記第３合成樹脂は、高周波接合方式によって前記複数のポイントおよび前記接合パネルの枠部分で接合され、
前記接合パネルは、前記第１合成樹脂および前記第２合成樹脂の間に空気を注入できるようにする少なくとも１つの溝を含み、
前記少なくとも１つの溝部分において、前記第１合成樹脂、前記第２合成樹脂、および前記第３合成樹脂は、他の領域でよりも相対的に広く接合され、
前記接合パネルの端に形成された溝は、前記第１合成樹脂に形成された対応する突出部分を有し、前記突出部分は、空気注入のために使用される、
ことを特徴とする、ダイアリーまたは電子装置のカバー。
【請求項２】
前記第１合成樹脂および前記第２合成樹脂の間に空気が注入されることにより、前記複数のポイントが前記接合パネルから離れることを特徴とする、請求項１に記載のダイアリーまたは電子装置のカバー。
【請求項３】
前記カバーは、
前記第１合成樹脂および前記第２合成樹脂に注入された空気が前記第１合成樹脂および前記第２合成樹脂を互いに反対方向に膨脹させることにより、前記接合パネルから離れた前記複数のポイントを有することを特徴とする、請求項１に記載のダイアリーまたは電子装置のカバー。
【請求項４】
ダイアリーまたは電子装置のカバーを製造する方法であって、
接合パネル（ｌａｍｉｎａｔｅｄ  ｐａｐｅｒ）の上に弾力性のある第１合成樹脂を配置する段階、
前記第１合成樹脂の上に第２合成樹脂を配置する段階、
前記第１合成樹脂および前記第２合成樹脂を複数のポイントで接合する段階、および
前記カバーが膨らんだ表面を有するように、前記第１合成樹脂および前記第２合成樹脂の間に空気を注入する段階
を含み、
前記ダイアリーまたは電子装置のカバーは、前記第１合成樹脂と前記接合パネルとの間に配置されたり前記第２合成樹脂の上に配置されたりし、前記第１合成樹脂および前記第２合成樹脂の材質とは異なる材質で形成された第３合成樹脂をさらに含み、
前記第１合成樹脂、前記第２合成樹脂、および前記第３合成樹脂は、高周波接合方式によって前記複数のポイントおよび前記接合パネルの枠部分で接合され、
前記接合パネルは、前記第１合成樹脂および前記第２合成樹脂の間に空気を注入できるようにする少なくとも１つの溝を含み、
前記少なくとも１つの溝部分において、前記第１合成樹脂、前記第２合成樹脂、および前記第３合成樹脂は、他の領域でよりも相対的に広く接合され、
前記接合パネルの端に形成された溝は、前記第１合成樹脂に形成された対応する突出部分を有し、前記突出部分は、空気注入のために使用される、
ダイアリーまたは電子装置のカバーを製造する方法。
【請求項５】
前記第１合成樹脂および前記第２合成樹脂の間に空気を注入する段階は、
前記第１合成樹脂および前記第２合成樹脂に注入された空気が前記第１合成樹脂および前記第２合成樹脂を互いに反対方向に膨脹させるために前記第１合成樹脂および前記第２合成樹脂の間に空気を注入する段階である、請求項４に記載のダイアリーまたは電子装置のカバーを製造する方法。
【請求項６】
前記第１合成樹脂および前記第２合成樹脂の材質とは異なる材質で形成された第３合成樹脂を配置する段階
をさらに含むことを特徴とする、請求項４に記載のダイアリーまたは電子装置のカバーを製造する方法。
【発明の詳細な説明】
【技術分野】
【０００１】
本発明は、電子装置、ダイアリー、ノートなどのケース、およびその製造方法に関する。
【背景技術】
【０００２】
最近の需要者は、ダイアリー、ノート、電子装置のケースとして、その固有的な機能はもちろん、個性的なデザインまたは付加的な機能も同時に求めている。例えば、ユーザは、ダイアリーの基本的な機能の他にも、追加的な機能および優れたデザインを求めている。
【０００３】
特に、ダイアリー、ノート、電子装置などは、会社員または学生が多く使用するものである。会社員または学生の中には、ダイアリー、ノート、または電子装置のケースを、枕やリストレストなどとしても兼用できることを所望する者もいる。
【０００４】
本発明は、ダイアリー、ノート、電子装置のケースを、枕やリストレストとしても利用できるようにするだけでなく、より優れたデザインを提供する技術に関する。
【発明の概要】
【発明が解決しようとする課題】
【０００５】
本発明の実施形態は、膨らんだ表面を有するダイアリーのカバーあるいは電子装置のケースを提供する。
【０００６】
また、本発明の実施形態は、弾力性のある第１合成樹脂と第２合成樹脂との間に空気を注入することにより、上にも下にも膨らんだ形状を有するダイアリーのカバーあるいは電子装置のケースを提供する。さらに、ダイアリーのカバーおよび電子装置のケースが上にも下にも膨らんだ形状を有することにより、膨らんだ表面がより立体的にデザインされる。
【０００７】
また、本発明の実施形態は、表面が上にも下にも膨らんだ形状を有するようにすることにより、外部からの衝撃に強靭であったり弾性に優れたダイアリーのカバーまたは電子装置のケースを提供する。
【０００８】
さらに、本発明の実施形態は、接合パネルに溝を形成することにより、第１合成樹脂と第２合成樹脂との間に空気を容易に注入することができる技術を提供する。
【課題を解決するための手段】
【０００９】
本発明の実施形態に係るダイアリーは、複数の記録用紙の束、および前記束を覆うカバーを含む。ここで、前記カバーは、接合（ｌａｍｉｎａｔｅｄ）パネル、前記接合パネルの上に置かれ、弾力性のある第１合成樹脂、前記第１合成樹脂の上に置かれ、弾力性のある第２合成樹脂、および前記第１合成樹脂と前記接合パネルとの間に配置されたり前記第２合成樹脂の上に配置され、前記第１合成樹脂および前記第２合成樹脂の材質とは異なる材質で形成された第３合成樹脂を含む。また、前記カバーが膨らんだ表面を有するように、前記第１合成樹脂、前記第２合成樹脂、および前記第３合成樹脂は複数のポイントで接合され、前記第１合成樹脂および前記第２合成樹脂の間に空気が注入される。
【００１０】
前記第１合成樹脂および前記第２合成樹脂の間に空気が注入されることにより、前記複数のポイントが前記接合パネルから離れる。
【００１１】
前記カバーは、前記第１合成樹脂および前記第２合成樹脂に注入された空気が前記第１合成樹脂および前記第２合成樹脂を互いに反対方向に膨脹させることにより、前記接合パネルから離れた前記複数のポイントを有する。
【００１２】
前記第１合成樹脂および前記第２合成樹脂はポリウレタンで形成され、前記第３合成樹脂はポリ塩化ビニルで形成される。
【００１３】
前記第１合成樹脂、前記第２合成樹脂、および前記第３合成樹脂は、高周波接合方式によって前記複数のポイントおよび前記接合パネルの枠部分で接合される。
【００１４】
前記接合パネルは、前記第１合成樹脂および前記第２合成樹脂の間に空気を注入できるようにする少なくとも１つの溝を含み、前記少なくとも１つの溝部分において、前記第１合成樹脂、前記第２合成樹脂、および前記第３合成樹脂は、他の領域でよりも相対的に広く接合される。
【００１５】
ダイアリーまたは電子装置のカバーを製造する方法において、接合パネル（ｌａｍｉｎａｔｅｄ  ｐａｐｅｒ）の上に弾力性のある第１合成樹脂を配置する段階、前記第１合成樹脂の上に第２合成樹脂を配置する段階、前記第１合成樹脂および前記第２合成樹脂の材質とは異なる材質で形成された第３合成樹脂を配置する段階、前記第１合成樹脂、前記第２合成樹脂、および前記第３合成樹脂を複数のポイントで接合する段階、および前記カバーが膨らんだ表面を有するように、前記第１合成樹脂および前記第２合成樹脂の間に空気を注入する段階を含む。
【００１６】
前記第１合成樹脂および前記第２合成樹脂の間に空気を注入する段階は、前記第１合成樹脂および前記第２合成樹脂に注入された空気が前記第１合成樹脂および前記第２合成樹脂を互いに反対方向に膨脹させるために、前記第１合成樹脂および前記第２合成樹脂の間に空気を注入する段階である。
【００１７】
電子装置のケースは、ケース支持台および前記ケース支持台、および取り外し可能なカバーを含む。前記ケース支持台は、前記カバーがスライドするようにするための溝を含み、前記カバーは、接合パネル、前記接合パネルの上に置かれ、弾力性のある第１合成樹脂、前記第１合成樹脂の上に置かれ、弾力性のある第２合成樹脂、および前記第１合成樹脂と前記接合パネルとの間に配置されたり前記第２合成樹脂の上に配置され、前記第１合成樹脂および前記第２合成樹脂の材質とは異なる材質で形成された第３合成樹脂を含む。さらに、前記カバーが膨らんだ表面を有するように、前記第１合成樹脂、前記第２合成樹脂、および前記第３合成樹脂は複数のポイントで接合され、前記第１合成樹脂および前記第２合成樹脂の間に空気が注入される。
【００１８】
前記第１合成樹脂および前記第２合成樹脂の間に空気が注入されることにより、前記複数のポイントが前記接合パネルから離れる。
【発明の効果】
【００１９】
本発明の実施形態は、膨らんだ表面を有するダイアリーのカバーあるいは電子装置のケースを提供する。
【００２０】
また、本発明の実施形態は、弾力性のある第１合成樹脂と第２合成樹脂との間に空気を注入することにより、上にも下にも膨らんだ形状を有するダイアリーのカバーあるいは電子装置のケースを提供する。さらに、ダイアリーのカバーおよび電子装置のケースが上にも下にも膨らんだ形状を有することにより、膨らんだ表面がより立体的にデザインされる。
【００２１】
また、本発明の実施形態は、表面が上にも下にも膨らんだ形状を有するようにすることにより、外部からの衝撃に強靭であったり弾性に優れたダイアリーのカバーまたは電子装置のケースを提供する。
【００２２】
さらに、本発明の実施形態は、接合パネルに溝を形成することにより、第１合成樹脂と第２合成樹脂との間に空気を容易に注入することができる技術を提供する。
【図面の簡単な説明】
【００２３】
【図１】本発明の実施形態に係るダイアリーを示した図である。
【図２】本発明の実施形態に係る接合パネル、第１合成樹脂、第２合成樹脂、第３合成樹脂の配置を含むダイアリーのカバーに対する側面図である。
【図３】接合パネルの上にポリウレタンとＰＶＣだけが置かれた場合に対する側面図である。
【図４】図３に示すように、接合パネルの上にポリウレタンとＰＶＣだけが置かれた場合に、接合パネルとポリウレタンとの間に空気を注入することによってポリウレタンの上表面が膨らんだことを示した図である。
【図５】図２に示すように、接合パネルの上に第１合成樹脂、第２合成樹脂が置かれた場合に、第１合成樹脂および第２合成樹脂の間に空気を注入することによって上表面と下表面のすべてが膨らんだことを示した図である。
【図６】接合がなされるポイントをさらに拡大した図である。
【図７】溝を有する接合パネルおよび空気注入口を有する第１合成樹脂を示した図である。
【図８】空気注入がなされた後に、接合パネルの枠領域および溝周辺の領域で接合がなされたことを示した図である。
【図９】本発明の実施形態に係る電子装置のケースを示した図である。
【発明を実施するための形態】
【００２４】
以下では、本発明の実施形態について、添付の図面を参照しながら詳細に説明する。
【００２５】
図１は、本発明の実施形態に係るダイアリーを示した図である。
【００２６】
図１を参照すると、ダイアリーは、記録用紙の束１１０およびカバー１２０を含む。ダイアリーとは、ノート、手帳、本などのように、ユーザが携帯できると同時に、筆記具によって記録することのできるすべての物を意味する。
【００２７】
本発明の実施形態に係るダイアリーのカバーは、複数の膨らんだ形状を含む。特に、膨らんだ形状の内部に空気を注入することにより、ユーザがダイアリーをクッション性のある枕あるいはリストレストなどとして使用することができる。
【００２８】
特に、ダイアリーのカバーは、複数の膨らんだ形状を有するために複数のポイントを含み、このようなポイントで高周波接合が行われる。さらに、本発明は、ダイアリーのカバーの枠で高周波接合を行うことにより、空気が外に漏れることを防ぎ、カバーに存在する膨らんだ形状を保つ。
【００２９】
図２は、本発明の実施形態に係る接合パネル、第１合成樹脂、第２合成樹脂、第３合成樹脂の配置を含むダイアリーのカバーに対する側面図である。
【００３０】
図２を参照すると、本発明の実施形態に係るダイアリーのカバーは、接合パネル２１０、第１合成樹脂２２０、第２合成樹脂２３０、および第３合成樹脂２４０を含む。ここで、接合パネルの枠領域では高周波接合が行われる。また、図２において、第３合成樹脂２４０は第２合成樹脂２３０の上に配置されているが、接合パネル２１０と第１合成樹脂２２０との間に配置されてもよい。
【００３１】
接合パネル２１０は、ラミネート紙（ｌａｍｉｎａｔｅｄ  ｐａｐｅｒ）または硬いプラスチックなどで構成されてもよい。このような接合パネル２１０の上には第１合成樹脂２２０が置かれ、第１合成樹脂２２０の上には第２合成樹脂２３０が置かれる。ここで、第１合成樹脂２２０および第２合成樹脂２３０は、弾力性のある素材で構成されるが、例えば、ポリウレタンのような素材で構成されてもよい。
【００３２】
さらに、第２合成樹脂２３０の上には第３合成樹脂２４０が置かれてもよく、第３合成樹脂２４０は、第１合成樹脂２２０および第３合成樹脂２３０よりは低い弾力性を有する素材で構成されてもよい。例えば、第３合成樹脂２４０は、ポリ塩化ビニルで構成されてもよく、第３合成樹脂２４０は、カバーの最外郭に使用されてもよいし、接合パネル２１０と第１合成樹脂２２０との間に配置されたりしてもよい。
【００３３】
下記で説明するが、第１合成樹脂２２０と第２合成樹脂２３０との間には空気が注入されてもよい。ここで、第１合成樹脂２２０、第２合成樹脂２３０、第３合成樹脂２４０は、複数のポイントで互いに接合されてもよい。したがって、カバーの表面は、図１に示すように、複数の膨らんだ形状を有するようになる。
【００３４】
しかし、カバーの表面が複数の膨らんだ形状を有したとしても、膨らんだ形状がユーザに与える審美感は異なる場合がある。本発明は、カバーの表面の上面と下面すべてが膨らんだ形状を有することにより、より立体的に膨らんだ形状を提供することができる。これだけでなく、本発明は、複数のポイントを接合パネル２１０から浮上させることにより、ユーザは複数のポイントでもクッション性を感じることができる。
【００３５】
図３は、接合パネルの上にポリウレタンとＰＶＣだけが置かれた場合に対する側面図である。
【００３６】
図３を参照すると、接合パネル３１０の上にポリウレタン３２０が置かれ、ポリウレタン３２０の上にＰＶＣ（ポリ塩化ビニル）３３０が置かれている。このとき、ポリウレタンの弾力性は、ＰＶＣ３３０の弾力性よりも大きい。もちろん、ＰＶＣ３３０がポリウレタン３２０と接合パネル３１０との間に配置されてもよい。
【００３７】
図４は、図３に示すように、接合パネルの上にポリウレタンとＰＶＣだけが置かれた場合に、接合パネルとポリウレタンとの間に空気を注入することにより、ポリウレタンの上表面が膨らんだことを示した図である。
【００３８】
図４を参照すると、接合パネル４１０とポリウレタン４２０との間に空気が注入されている。このとき、複数のポイントにより、ポリウレタン４２０の上面は複数の膨らんだ形状を有する。しかし、接合パネル４１０が硬いため、ポリウレタン４２０は下方向には膨脹せず、したがって、ポリウレタン４２０の上面に存在する膨らんだ形状がもつ立体感は大きくない。
【００３９】
これだけでなく、複数のポイントは、接合パネル４１０の上から浮上しないため、ユーザが複数のポイントでクッション性を感じるのは困難となる。
【００４０】
さらに、ＰＶＣ３３０がポリウレタン３２０の下に存在して、ポリウレタン３２０とＰＶＣ３３０との間に空気が注入されても、ポイントは浮上し難い。なぜなら、ポリウレタン３２０は高い弾力性をもつ反面、ＰＶＣ３３０は低い弾力性をもつるためである。
【００４１】
図５は、図２に示すように、接合パネルの上に第１合成樹脂、第２合成樹脂が置かれた場合に、第１合成樹脂および第２合成樹脂の間に空気を注入することによって上表面と下表面すべてが膨らんだことを示した図である。
【００４２】
図５を参照すると、接合パネル５１０の上に置かれた第１合成樹脂５２０と第２合成樹脂５３０は、複数のポイントで接合されている。ここで、第１合成樹脂５２０と第２合成樹脂５３０との間に空気が注入されると、第１合成樹脂５２０は下に膨脹し、第２合成樹脂５３０は上に膨脹する。また、第１合成樹脂５２０および第３合成樹脂５３０で接合が行われた複数のポイントは、接合パネル５１０から上に浮上する。特に、本発明によると、複数のポイントが接合パネル５１０から上に浮上することにより、複数のポイントそれぞれでもクッション性が保たれるようになり、これによってユーザにさらなる心地よさを与えたり、外部の衝撃から物品をより保護したりできるようになる。
【００４３】
したがって、図５に示すカバーは、ユーザに大きな立体感を与えることができる膨らんだ形状を有するようになる。なぜなら、上にも下にも膨らんだ形状が形成されるためである。
【００４４】
なお、図５には第３合成樹脂が示されていないが、第３合成樹脂は、第２合成樹脂５３０の上に配置されてもよいし、接合パネル５１０と第１合成樹脂５２０との間に配置されてもよい。本発明は、第３合成樹脂がどこに配置されるかとは関係なく、高い弾力性を有する第１合成樹脂５２０と第２合成樹脂５３０との間に空気を注入することによってポイントを浮上させることができる。
【００４５】
図６は、接合がなされるポイントをさらに拡大した図である。
【００４６】
図６を参照すると、第１合成樹脂６１０と第２合成樹脂６２０との間に空気が注入されると、接合がなされたポイントも上方向と下方向に膨脹する。したがって、図６に示すように、第１合成樹脂６１０は、接合パネル（図示せず）方向に膨らんだ形状を有するようになり、第２合成樹脂６２０は、第３合成樹脂６３０方向に膨らんだ形状を有するようになる。このような方式によって製造されたカバーは、図３および図４に示すような方式で製造されたカバーよりも、さらに審美感や立体感のある膨らんだ形状を有するのはもちろん、外部の衝撃にもさらに耐えることができる。
【００４７】
なお、図６において、第３合成樹脂６３０は第２合成樹脂６２０の上に配置されているが、本発明は、第３合成樹脂６３０を第１合成樹脂６１０の下に配置してもよい。
【００４８】
図７は、溝を有する接合パネルおよび空気注入口を有する第１合成樹脂を示した図である。
【００４９】
図７を参照すると、接合パネル７１０の枠には、少なくとも１つの溝７１０が形成される。製造者は、接合パネル７１０の上に第１合成樹脂７２０、第２合成樹脂、および第３合成樹脂（図示せず）を配置し、複数のポイントで接合を行う。このとき、第１合成樹脂７２０は、少なくとも１つの突出部分７２１を有するが、この突出部分７２１は空気の注入のために使用される。
【００５０】
すなわち、製造者は、第１合成樹脂７２０の突出部分である空気注入口７２１と第２合成樹脂の突出部分との間に空気インジェクタを挿入した後に、空気を第１合成樹脂７２０と第２合成樹脂との間に注入する。このとき、接合パネル７１０の溝７１１、第１合成樹脂７２０の突出部分である空気注入口７２１と第２合成樹脂の突出部分により、製造は空気をさらに容易に注入することができる。
【００５１】
図８は、空気注入がなされた後に、接合パネルの枠領域および溝周辺の領域で接合がなされたことを示した図である。
【００５２】
図８を参照すると、製造者は、第１合成樹脂および第２合成樹脂との間に空気を注入した後に、第１合成樹脂の突出部分と第２合成樹脂の突出部分を取り除く。その後、製造者は、接合パネルの枠領域を接合する。
【００５３】
このとき、図８に示すように、接合領域８１０は相対的に薄く接合される反面、接合パネルの溝を含む接合領域８２０は相対的に広い厚さで接合される。このような接合により、第１合成樹脂および第２合成樹脂の間に注入された空気が安全に保たれるようになる。
【００５４】
図９は、本発明の実施形態に係る電子装置のケースを示した図である。
【００５５】
図９を参照すると、電子装置のケースは、ケース支持台９１０およびカバー９２０を含む。ここで、ケース支持台９１０とカバー８２０は、スライド方式によって取り外しが可能となる。すなわち、ユーザは、複数のカバーのうち所望するカバーを選択的にケース支持台９１０に付着させることができるし、付着したカバーを交換することもできる。また、ケース支持台９１０は、カバー８２０をスライド方式によって取り外すことができるようにスライド溝９１１を含む。ここで、本発明に係る電子装置のケースは、鞄、照明器具、衣類、ポーチなどのようなファッション小物などを含むすべてのリビングデザイン用品に適用されてもよい。
【００５６】
図９に示すカバー９２０も、上述したような複数の接合ポイントを含み、複数の膨らんだ形状を含む膨らみのある表面を有する。このようなカバー９２０を製造するために、図１〜図８を参照しながら説明された事項をそのまま適用することができるため、より詳細な説明は省略する。
【００５７】
以上のように、実施形態を、限定された実施形態と図面に基づいて説明したが、当業者であれば、上述した記載から多様な修正および変形が可能である。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【００５８】
したがって、異なる実施形態であっても、特許請求の範囲と均等なものであれば、添付される特許請求の範囲に属する。
【産業上の利用可能性】
【００５９】
本発明の実施形態は、膨らんだ表面を有するダイアリーのカバーあるいは電子装置のケースを提供する。
【００６０】
また、本発明の実施形態は、弾力性のある第１合成樹脂と第２合成樹脂との間に空気を注入することにより、上にも下にも膨らんだ形状を有するダイアリーのカバーあるいは電子装置のケースを提供する。さらに、ダイアリーのカバーおよび電子装置のケースが上にも下にも膨らんだ形状を有することにより、膨らんだ表面がより立体的にデザインされる。
【００６１】
また、本発明の実施形態は、表面が上にも下にも膨らんだ形状を有するようにすることにより、外部からの衝撃に強靭であったり弾性に優れたダイアリーのカバーまたは電子装置のケースを提供する。
【００６２】
さらに、本発明の実施形態は、接合パネルに溝を形成することにより、第１合成樹脂と第２合成樹脂との間に空気を容易に注入することができる技術を提供する。
【図１】
0006449885.tif 000002
【図２】
0006449885.tif 000003
【図３】
0006449885.tif 000004
【図４】
0006449885.tif 000005
【図５】
0006449885.tif 000006
【図６】
0006449885.tif 000007
【図７】
0006449885.tif 000008
【図８】
0006449885.tif 000009
【図９】
0006449885.tif 000010